(57)【要約】【課題】販売商品の収納容積の向上を図ること。【解決手段】前面に開口１ｂを有したケース本体１の内部に互いに離隔する態様で前方に向けて配設され、かつ後端部同士が補強部材４０により互いに連結された左右一対のブラケット部材２０と、ブラケット部材２０の内側にスライダ２５を介して取り付けられることによりブラケット部材２０間に架設され、開口１ｂを通じて前後方向にスライド可能な棚板３０とを備えた商品載置棚１０を有するショーケースであって、ブラケット部材２０は、後端部の上部に先端部分２２１ａがスライダ２５よりも他方のブラケット部材２０に向けて突出する態様で設けられ、先端部分２２１ａにて補強部材４０と締結部材Ｎを介して締結される補強取付部２２１を備えている。【選択図】図４
2019216846.tif 000002
【特許請求の範囲】
【請求項１】
前面に開口を有したケース本体の内部に互いに離隔する態様で前方に向けて配設され、かつ後端部同士が補強部材により互いに連結された左右一対のブラケット部材と、
前記ブラケット部材の内側にスライダを介して取り付けられることにより該ブラケット部材間に架設され、前記開口を通じて前後方向にスライド可能な棚板と
を備えた商品載置棚を有するショーケースであって、
前記ブラケット部材は、後端部の上部に先端部分が前記スライダよりも他方のブラケット部材に向けて突出する態様で設けられ、かつ該先端部分にて前記補強部材と締結部材を介して締結される補強取付部を備えたことを特徴とするショーケース。
【請求項２】
前記補強部材は、
左右両端部が前記補強取付部に前記締結部材を介して締結される補強基部と、
前記補強基部の後端部より下方に向けて延在し、その延在端部が前方に向けて屈曲された補強後端下延部と、
前記補強基部の前端部より下方に向けて延在した補強前端下延部と
が一体的に成形された構成されたことを特徴とする請求項１に記載のショーケース。
【請求項３】
前記補強部材は、
前記補強前端下延部の延在端部より前方に向けて延在する補強前延部と、
前記補強前延部の前端部より上方に向けて延在し、その延在端部が後方に向けて屈曲された補強上延部と
を備えたことを特徴とする請求項２に記載のショーケース。
【請求項４】
前記補強取付部は、前記先端部分における前後方向に沿った複数の個所に前記締結部材により前記補強部材と締結されたことを特徴とする請求項１〜３のいずれか１つに記載のショーケース。
【発明の詳細な説明】
【技術分野】
【０００１】
本発明は、ショーケースに関し、より詳細には、例えばコンビニエンスストア等の店舗に設置され、ケース本体の内部に商品を載置するための商品載置棚を備えたショーケースの改良に関するものである。
【背景技術】
【０００２】
従来、例えばコンビニエンスストア等の店舗では、販売商品を商品載置棚に載置させた状態でケース本体の内部に収納するようにしたショーケースが多く適用されている。
【０００３】
商品載置棚は、ブラケット部材及び棚板を備えて構成されている。ブラケット部材は、ケース本体の収納室の背面側において上下方向に所定間隔で係止孔が形成された棚支柱に対し、自身の係止片が所定の係止孔に挿入されることで該棚支柱に支持される左右一対のものである。これらブラケット部材は、内面にスライドレールが取り付けられており、上部が内側に屈曲されてスライドレールの上方に屈曲片部が形成されている。
【０００４】
棚板は、上面が商品を載置する載置面を構成する矩形平板状の形態を成している。このような棚板は、各ブラケット部材に取り付けられたスライドレールに取り付けられることで、これらスライドレール間に跨る態様で架設されている。かかる棚板は、ブラケット部材に対して前後方向にスライド可能である（例えば、特許文献１参照）。
【先行技術文献】
【特許文献】
【０００５】
【特許文献１】特許第５５８９４４８号公報
【発明の概要】
【発明が解決しようとする課題】
【０００６】
ところで、上記左右一対のブラケット部材は、後端部同士が補強部材により連結されて強度の向上が図られているのが一般的である。補強部材は、左右方向が長手方向となる長尺状部材であり、縦断面が例えばＬ字状を成している。このような補強部材は、左右両端部が、ブラケット部材の後端部の上部である屈曲片部に例えばネジ等の締結部材を介して締結されている。
【０００７】
そのように屈曲片部に締結部材を介して補強部材が締結されているので、屈曲片部と、スライドレールとの間隔は、締結部材の干渉を防ぐために十分に確保することが求められている。
【０００８】
そのため、ブラケット部材は、上下方向の長さを大きくする必要があった。しかも、ブラケット部材の上方に棚板が配置されるので、商品載置棚の上下寸法が過大なものとなってしまう虞れがあった。このように商品載置棚の上下寸法が過大なものになってしまうと、販売商品の収納容量を減少させることを招来し、好ましいものではない。
【０００９】
本発明は、上記実情に鑑みて、販売商品の収納容積の向上を図ることができるショーケースを提供することを目的とする。
【課題を解決するための手段】
【００１０】
上記目的を達成するため、本発明に係るショーケースは、前面に開口を有したケース本体の内部に互いに離隔する態様で前方に向けて配設され、かつ後端部同士が補強部材により互いに連結された左右一対のブラケット部材と、前記ブラケット部材の内側にスライダを介して取り付けられることにより該ブラケット部材間に架設され、前記開口を通じて前後方向にスライド可能な棚板とを備えた商品載置棚を有するショーケースであって、前記ブラケット部材は、後端部の上部に先端部分が前記スライダよりも他方のブラケット部材に向けて突出する態様で設けられ、かつ該先端部分にて前記補強部材と締結部材を介して締結される補強取付部を備えたことを特徴とする。
【００１１】
また本発明は、上記ショーケースにおいて、前記補強部材は、左右両端部が前記補強取付部に前記締結部材を介して締結される補強基部と、前記補強基部の後端部より下方に向けて延在し、その延在端部が前方に向けて屈曲された補強後端下延部と、前記補強基部の前端部より下方に向けて延在した補強前端下延部とが一体的に成形された構成されたことを特徴とする。
【００１２】
また本発明は、上記ショーケースにおいて、前記補強部材は、前記補強前端下延部の延在端部より前方に向けて延在する補強前延部と、前記補強前延部の前端部より上方に向けて延在し、その延在端部が後方に向けて屈曲された補強上延部とを備えたことを特徴とする。
【００１３】
また本発明は、上記ショーケースにおいて、前記補強取付部は、前記先端部分における前後方向に沿った複数の個所に前記締結部材により前記補強部材と締結されたことを特徴とする。
【発明の効果】
【００１４】
本発明によれば、ブラケット部材における後端部の上部の補強取付部が、先端部分がスライダよりも他方のブラケット部材に向けて突出する態様で設けられ、かつ該先端部分にて補強部材と締結部材を介して締結されるので、締結部材とスライダとの干渉を考慮する必要がなく、ブラケット部材の上部とスライダとの隙間を必要最小限の大きさにすることができる。これにより、ブラケット部材の上下寸法を低減することができ、ブラケット部材間に架設される棚板を含めた商品載置棚の上下寸法を低減することができる。従って、販売商品の収納容積の向上を図ることができるという効果を奏する。
【図面の簡単な説明】
【００１５】
【図１】図１は、本発明の実施の形態であるショーケースを示す断面側面図である。
【図２】図２は、図１に示した１つの商品載置棚を示す斜視図である。
【図３】図３は、図１に示した１つの商品載置棚を示す斜視図である。
【図４】図４は、図１に示した１つの商品載置棚を示す分解斜視図である。
【図５】図５は、図２〜図４に示した商品載置棚の要部を示す斜視図である。
【図６】図６は、図２〜図４に示した商品載置棚の要部を示す斜視図である。
【図７】図７は、図１に示した１つの商品載置棚を示す斜視図である。
【図８】図８は、図１に示した１つの商品載置棚を示す斜視図である。
【発明を実施するための形態】
【００１６】
以下に添付図面を参照して、本発明に係るショーケースの好適な実施の形態について詳細に説明する。
【００１７】
図１は、本発明の実施の形態であるショーケースを示す断面側面図である。ここで例示するショーケースは、例えばコンビニエンスストア等の店舗において販売商品をケース本体１の内部に収納するようにしたものである。本実施の形態では特に、要冷蔵商品を収納するための冷蔵用ショーケースを例示している。
【００１８】
すなわち、このショーケースでは、ケース本体１の内部に背面板２を設けることによって背面板２とケース本体１の後壁１ａとの間に通風ダクト３を構成するとともに、背面板２よりも前方に収納室４を構成している。通風ダクト３の内部には、蒸発器５や送風ファン６を配設している。蒸発器５は、図示していないコンデンシングユニットとともに冷凍サイクルを構成し、通過する空気との間において熱交換を行うものである。このショーケースでは、図示せぬコンデンシングユニット及び送風ファン６を駆動すれば、蒸発器５を通過した空気が通風ダクト３を通じて収納室４に循環供給され、収納室４が所望の冷蔵温度に維持されることになる。
【００１９】
ケース本体１は、前面に開口（以下、前面開口ともいう）１ｂを有した箱状を成すもので、収納室４に複数段の商品載置棚１０を備えている。収納室４の各段の商品載置棚１０は、同様の構成を有したものであるから、以下では１つの商品載置棚１０について説明を行う。
【００２０】
図２〜図４は、それぞれ図１に示した１つの商品載置棚１０を示すもので、図２及び図３は斜視図、図４は分解斜視図である。商品載置棚１０は、図２〜図４に示すように、ブラケット部材２０及び棚板３０を備えて構成してある。
【００２１】
ブラケット部材２０は、背面板２の左右両側の前面に取り付けた棚支柱７から前方に突出するように配設したものである。つまり、ブラケット部材２０は、ケース本体１の内部である収納室４に互いに離隔する態様で前方に向けて配設した左右一対のものである。以下においては便宜上、２つのブラケット部材２０において互いに近接した方向を内側と称し、互いに離反した方向を外側と称して説明する。
【００２２】
ブラケット部材２０は、板金等から形成したものであり、図５に示すように、側壁部２１及び上壁部２２を一体に成形することによって構成してある。
【００２３】
側壁部２１は、ブラケット部材２０の主要な構成要素であり、前後方向が長手方向となる長尺状部分である。この側壁部２１は、後端部の上下寸法が該後端部よりも前方側の領域の上下寸法よりも大きく形成してあり、該後端部の後端部分には後方に突出する複数の係止片２１１が形成してある。これら係止片２１１は、棚支柱７の前面に設けられた図示せぬ係止孔の任意に挿入することが可能である。係止片２１１を係止孔に挿入した場合には、側壁部２１の後端部分が棚支柱７の前面に当接することになり、ブラケット部材２０を棚支柱７の任意の高さに略水平の片持ち状態で支持させることが可能である。
【００２４】
この側壁部２１の内側には、図６にも示すように、スライダ２５の外側構成要素２５１が取り付けてある。スライダ２５は、従来公知のものであり、外側構成要素２５１に対して該スライダ２５を構成する内側構成要素２５２が前後方向にスライドすることを許容するものである。
【００２５】
上壁部２２は、側壁部２１の上端縁部より内側に向けて延在する水平延在部分であり、その後端部分に補強取付部２２１を有している。補強取付部２２１は、先端部分２２１ａが側壁部２１に取り付けられたスライダ２５よりも内側に向けて突出する態様で形成された水平板状部分である。この補強取付部２２１の先端部分２２１ａには、前後２個所においてネジ等の締結部材Ｎにより補強部材４０が締結してある。
【００２６】
補強部材４０は、例えば板金等から形成したものであり、左右一対のブラケット部材２０同士を連結することにより、該ブラケット部材２０が変形等することを規制するものである。この補強部材４０は、補強基部４１と、補強後端下延部４２と、補強前端下延部４３と、補強前延部４４と、補強上延部４５とを一体に成形することによって構成してある。
【００２７】
補強基部４１は、前後方向の長さが補強取付部２２１の前後方向の長さと略同じ大きさを有しており、左右両端部が補強取付部２２１の先端部分２２１ａに締結部材Ｎを介して締結される平板状部分である。補強後端下延部４２は、補強基部４１の後端部より下方に向けて延在し、その延在端部が前方に向けて屈曲された部分である。補強前端下延部４３は、補強基部４１の前端部より下方に向けて延在した部分である。この補強前端下延部４３の補強基部４１の前端部からの下方への延在長さは、上記補強後端下延部４２の補強基部４１の後端部からの下方への延在長さと略同じ大きさである。補強前延部４４は、補強前端下延部４３の延在端部より前方に向けて延在する部分である。補強上延部４５は、補強前延部４４の前端部より上方に向けて延在し、その延在端部が後方に向けて屈曲された部分である。この補強上延部４５の補強前延部４４の前端部からの上方への延在長さは、上記補強前端下延部４３の補強基部４１の前端部からの下方への延在長さと略同じ大きさである。
【００２８】
このように補強部材４０は、補強基部４１と、補強後端下延部４２と、補強前端下延部４３と、補強前延部４４と、補強上延部４５とを一体に成形することによって、いわゆるダブルハット型と称されるような屈曲加工が施されてその強度が十分な大きさとされている。そして、補強部材４０の前端面を構成する補強上延部４５には、複数の磁石４５１が取り付けてある。
【００２９】
棚板３０は、販売商品が載置される部分であり、図４に示したように、矩形状を成す棚枠３１の内部に載置板３２を支持させることによって構成してある。載置板３２は、例えばガラス板のように透明な矩形状の板状体である。
【００３０】
棚枠３１の後部を構成する後枠部３１１は、前端部分３１１ａに載置板３２の後端部を載置させて支持するものであり、後端部分３１１ｂが載置板３２と同一平面となるよう前端部分３１１ａと後端部分３１１ｂとの境界部分に段部３１１ｃが形成してある。この後端部分３１１ｂは、載置板３２と同様に商品を載置させるためのものである。
【００３１】
また棚板３０は、棚枠３１の前部を構成する前枠部３１２には、その前端部に上方に延在する前端上延部３１２ａが形成され、棚枠３１の両側部を構成する左右一対の側枠部３１３には、その端部に上方に延在する側端上延部３１３ａが形成されている。そして、前端上延部３１２ａの両端部分と、側端上延部３１３ａの前端部分３１１ａとの間には、間隙Ｓが形成してある。
【００３２】
そのような棚板３０は、側枠部３１３がブラケット部材２０に取り付けられたスライダ２５の内側構成要素２５２に連結されている。これにより、棚板３０は、ブラケット部材２０の内側にスライダ２５を介して取り付けられることにより該ブラケット部材２０間に架設され、図２及び図３に示すように最も後方にスライドした収納姿勢と、図７及び図８に示すように最も前方にスライドした補充姿勢との間で、前面開口１ｂを通じて前後方向にスライド可能である。
【００３３】
そして、棚板３０が収納姿勢となる場合、後枠部３１１の一部が補強部材４０の磁石４５１に磁力により接着されてその収納姿勢が保持されている。また後枠部３１１の後端部分３１１ｂは、補強部材４０の補強基部４１の上方域に配置される。
【００３４】
以上説明したように、本発明の実施の形態であるショーケースによれば、ブラケット部材２０における上壁部２２の後端部分３１１ｂの補強取付部２２１が、先端部分２２１ａが側壁部２１の内側に取り付けられたスライダ２５よりも内側に向けて突出する態様で設けられ、かつ先端部分２２１ａにて補強部材４０と締結部材Ｎを介して締結されるので、締結部材Ｎとスライダ２５との干渉を考慮する必要がなく、上壁部２２とスライダ２５との隙間を必要最小限の大きさにすることができる。これにより、ブラケット部材２０の上下寸法を低減することができ、ブラケット部材２０間に架設される棚板３０を含めた商品載置棚１０の上下寸法を低減することができる。従って、販売商品の収納容積の向上を図ることができる。
【００３５】
上記ショーケースによれば、補強部材４０は、従来のような縦断面がＬ字状を成すものではなく、補強基部４１と、補強後端下延部４２と、補強前端下延部４３と、補強前延部４４と、補強上延部４５とを一体に成形することによって、いわゆるダブルハット型と称されるような屈曲形状で十分に大きい強度を有し、しかも補強取付部２２１と補強部材４０とは、それぞれ前後２個所で締結部材Ｎを介して締結されているので、商品載置棚１０全体の強度を向上させることができる。
【００３６】
上記ショーケースによれば、後枠部３１１の後端部分３１１ｂが載置板３２と同一平面となるように、該後枠部３１１に段部３１１ｃを形成しているので、棚板３０における商品の載置高さレベルを低くすることができ、これによっても販売商品の収納容積の向上を図ることができる。
【００３７】
上記ショーケースによれば、棚板３０における前端上延部３１２ａの両端部分と、側端上延部３１３ａの前端部分３１１ａとの間には、間隙Ｓが形成してあるので、該間隙Ｓを通じて載置板３２の上面に付着した塵埃物を取り除くことができ、商品載置棚１０の清掃を容易なものとすることができる。
【００３８】
上述した実施の形態では、補強部材４０は、いわゆるダブルハット型と称される屈曲形状を成していたが、かかる補強部材４０は、補強基部４１と、補強後端下延部４２と、補強前端下延部４３とを一体に成形することによって、いわゆるハット型と称される屈曲形状を成していてもよい。
【００３９】
また上述した実施の形態では、補強取付部２２１は、先端部分２２１ａにて前後２個所で締結部材Ｎを介して補強部材４０と締結されていたが、補強取付部２２１は、先端部分２２１ａにて複数個所で締結部材Ｎを介して補強部材４０と締結されていればよい。
【符号の説明】
【００４０】
１  ケース本体
１ｂ  前面開口
４  収納室
１０  商品載置棚
２０  ブラケット部材
２１  側壁部
２２  上壁部
２２１  補強取付部
２２１ａ  先端部分
２５  スライダ
３０  棚板
３１  棚枠
３２  載置板
４０  補強部材
４１  補強基部
４２  補強後端下延部
４３  補強前端下延部
４４  補強前延部
４５  補強上延部
Ｎ  締結部材
【図１】
2019216846.tif 000003
【図２】
2019216846.tif 000004
【図３】
2019216846.tif 000005
【図４】
2019216846.tif 000006
【図５】
2019216846.tif 000007
【図６】
2019216846.tif 000008
【図７】
2019216846.tif 000009
【図８】
2019216846.tif 000010